(57)【要約】本発明で提案している、基準領域によってバナー広告別の優先順位が決定されるバナー広告サービスシステムによれば、バナー広告の基準領域を設定することにより、広告主の物理的な位置に関係なく、広告を行おうとする領域にてローカルデバイスにバナー広告が表示されうる。
2021506018.tif 000002
【特許請求の範囲】
【請求項１】
ローカルデバイスにバナー広告を提供するバナー広告サービスシステムにおいて、
前記ローカルデバイスからバナー広告要求を受信して、前記ローカルデバイスにバナー広告を提供するサービス提供サーバを含み、
前記サービス提供サーバは、
前記バナー広告として表示されるコンテンツ、及び、広告主の位置と独立の、前記バナー広告の基準領域の入力を受けて格納するデータベースモジュールと、
前記ローカルデバイスの位置情報によって特定される位置を基準に、前記データベースモジュールに格納されたバナー広告の基準領域の広さ及び距離に応じて、バナー広告の優先順位を設定する優先順位設定モジュールと、
前記優先順位設定モジュールにて設定された優先順位に基づいて、前記データベースモジュールに格納されたバナー広告を整列して、前記ローカルデバイスに提供する広告提供モジュールとを含み、
前記優先順位設定モジュールは、
前記データベースモジュールに格納されたバナー広告の基準領域が、前記ローカルデバイスの位置情報によって特定される位置を含むか否かに応じて、バナー広告の優先順位を設定し、
前記データベースモジュールに格納されたバナー広告の基準領域が、前記ローカルデバイスの位置情報によって特定される位置を含む場合、前記バナー広告の基準領域が広い順にバナー広告の優先順位を設定するが、零細業者を優先的に保護しなければならない場合であれば、前記バナー広告の基準領域が狭い順にバナー広告の優先順位を設定し、
前記データベースモジュールに格納されたバナー広告の基準領域が、前記ローカルデバイスの位置情報によって特定される位置を含まない場合、前記ローカルデバイスの位置情報によって特定される位置と、前記バナー広告の基準領域の境界線との間の最短距離が短い順にバナー広告の優先順位を設定することを特徴とする、基準領域によってバナー広告別の優先順位が決定されるバナー広告サービスシステム。
【請求項２】
前記優先順位設定モジュールは、
前記最短距離が同じである場合には、前記バナー広告の基準領域が広い順にバナー広告の優先順位を設定することを特徴とする、請求項１に記載の、基準領域によってバナー広告別の優先順位が決定されるバナー広告サービスシステム。
【請求項３】
前記優先順位設定モジュールは、カテゴリー別に前記バナー広告の優先順位を設定することを特徴とする、請求項１に記載の、基準領域によってバナー広告別の優先順位が決定されるバナー広告サービスシステム。
【請求項４】
前記バナー広告の基準領域は多角形または円形であることを特徴とする、請求項１に記載の、基準領域によってバナー広告別の優先順位が決定されるバナー広告サービスシステム。
【請求項５】
前記データベースモジュールは、一つのバナー広告に対して複数の基準領域の入力を受けて格納することを特徴とする、請求項１に記載の、基準領域によってバナー広告別の優先順位が決定されるバナー広告サービスシステム。
【請求項６】
前記基準領域は、少なくとも一部が互いにオーバーラップすることを特徴とする、請求項５に記載の、基準領域によってバナー広告別の優先順位が決定されるバナー広告サービスシステム。
【請求項７】
前記サービス提供サーバは、
予め決められた時間を周期として前記ローカルデバイスの位置情報を受信することを特徴とする、請求項１に記載の、基準領域によってバナー広告別の優先順位が決定されるバナー広告サービスシステム。
【発明の詳細な説明】
【技術分野】
【０００１】
本発明は、バナー広告サービスシステムに係り、より具体的には、基準領域によってバナー広告別の優先順位が決定されるバナー広告サービスシステムに関する。
【背景技術】
【０００２】
従来の広告は、新聞、雑誌、ラジオ及び放送などのマスメディアを介して提供された。しかし、移動通信技術の発達に伴い、モバイルデバイス（Ｍｏｂｉｌｅ  Ｄｅｖｉｃｅ）を介してメディアに接するユーザーが幾何級数的に増加するにつれて、モバイルデバイスを介して提供される広告が試みられ始めた。従来のマスメディアを用いた広告は、不特定多数に一方的に広告を提供するので、ユーザーにパーソナライズされた広告を提供することができないという限界点があった。しかし、モバイルデバイスを用いた広告は、モバイルデバイスから収集されたユーザーの様々な情報を用いて、ユーザーにパーソナライズされた広告を提供することができるという利点がある。よって、ユーザーへより効果的にカスタマイズ型広告を提供することができるため、モバイルデバイスを用いた広告は、非常に重要な広告手段の一つとして位置付けられている。
【０００３】
図１はモバイルデバイス上に表示されるバナー広告を示す図である。モバイルデバイスを用いた広告の中でも、バナー（Ｂａｎｎｅｒ）広告は、最も一般な広告方法の一つである。図１に示すように、一般的に、Ｗｅｂサーフィン中に、コンテンツがモバイルデバイスのディスプレイに表示される際に、一部の領域に棒状の広告コンテンツが併せて表示されるのであるが、このような棒状の広告コンテンツがバナーに該当する。ユーザーが広告コンテンツを見てバナーをクリックすると、当該バナーにリンクされた特定のＷｅｂサイトに接続されるので、バナー広告は、自然にユーザーを特定のＷｅｂサイトに誘導することができる。
【０００４】
一方、モバイルデバイスがユーザーに広く普及することにより、モバイルデバイスの位置情報を用いたバナー広告が提供されている。モバイルデバイスのＧＰＳモジュールを介して収集した位置情報を利用すれば、ユーザーにパーソナライズされたバナー広告を提供することができる。たとえば、ユーザーが現在「江南(Gangnam)区庁駅」にいる場合には、ユーザーに、「江南区庁駅」の周辺に位置する業者についてのバナー広告を提供することができる。つまり、ユーザーの位置情報と、広告主の位置とを用いてバナー広告が提供されることにより、ユーザーへ、より効果的にバナー広告を提供することができる。
【０００５】
しかし、一部のビジネス分野の場合、ユーザーにバナー広告を提供する際に、広告主の物理的な位置よりは、広告が露出されるべき位置を考慮しなければならないことが多い。たとえば、ソフトウェア業者の場合は、当該業者の物理的な位置に関係なく、当該ソフトウェアを使用するユーザーが主に密集している場所に、バナー広告が露出されるというのが効果的である。従来のように広告主の物理的な位置を用いてバナー広告を提供する場合、当該ビジネス分野にて、ユーザーに効果的に広告が行われないという問題点があった。
【０００６】
一方、モバイルデバイスを介してバナー広告を提供する先行技術として、韓国公開特許第１０−２０１１−０１３９８７１号の「端末の位置に基づく広告提供方法及びシステム」などが提案されている。
【発明の概要】
【発明が解決しようとする課題】
【０００７】
本発明は、従来提案された方法の上述した問題点を解決するために提案されたものであり、その目的は、バナー広告の基準領域を設定することにより、広告主の物理的な位置に関係なく、広告を行おうとする領域にてローカルデバイスにバナー広告が表示されるようにすることができる、基準領域によってバナー広告別の優先順位が決定されるバナー広告サービスシステムを提供することにある。
【０００８】
また、本発明の他の目的は、ローカルデバイスの位置情報に基づいてローカルデバイスに表示されるバナー広告が変わりうるのであり、基準領域の広さと距離を基準に、バナー広告に対する優先順位が設定されることにより、広告主が所望する位置にて優先的にバナー広告が露出されるようにすることができる、基準領域によってバナー広告別の優先順位が決定されるバナー広告サービスシステムを提供することにある。
【課題を解決するための手段】
【０００９】
上記目的を達成するための本発明の特徴による基準領域によってバナー広告別の優先順位が決定されるバナー広告サービスシステムは、
ローカルデバイスにバナー広告を提供するバナー広告サービスシステムにおいて、
前記ローカルデバイスからバナー広告要求を受信して、前記ローカルデバイスにバナー広告を提供するサービス提供サーバを含み、
前記サービス提供サーバは、
前記バナー広告として表示されるコンテンツ、及び、広告主の位置と独立の、前記バナー広告の基準領域の入力を受けて格納するデータベースモジュールと、
前記ローカルデバイスの位置情報によって特定される位置を基準に、前記データベースモジュールに格納されたバナー広告の基準領域の広さ及び距離に応じてバナー広告の優先順位を設定する優先順位設定モジュールと、
前記優先順位設定モジュールにて設定された優先順位に基づいて、前記データベースモジュールに格納されたバナー広告を整列して、前記ローカルデバイスに提供する広告提供モジュールとを含むことをその構成上の特徴とする。
【００１０】
好ましくは、前記優先順位設定モジュールは、
前記データベースモジュールに格納されたバナー広告の基準領域が、前記ローカルデバイスの位置情報によって特定される位置を含むか否かに応じて、バナー広告の優先順位を設定することができる。
【００１１】
さらに好ましくは、前記優先順位設定モジュールは、
前記データベースモジュールに格納されたバナー広告の基準領域が、前記ローカルデバイスの位置情報によって特定される位置を含む場合、前記バナー広告の基準領域が広い順にバナー広告の優先順位を設定することができる。
【００１２】
さらに好ましくは、前記優先順位設定モジュールは、
前記データベースモジュールに格納されたバナー広告の基準領域が、前記ローカルデバイスの位置情報によって特定される位置を含む場合、前記バナー広告の基準領域が狭い順にバナー広告の優先順位を設定することができる。
【００１３】
さらに好ましくは、前記優先順位設定モジュールは、
前記データベースモジュールに格納されたバナー広告の基準領域が、前記ローカルデバイスの位置情報によって特定される位置を含まない場合、前記ローカルデバイスの位置情報によって特定される位置と、前記バナー広告の基準領域の境界線との間の最短距離が短い順にバナー広告の優先順位を設定することができる。
【００１４】
さらに好ましくは、前記優先順位設定モジュールは、
前記最短距離が同じである場合には、前記バナー広告の基準領域が広い順にバナー広告の優先順位を設定することができる。
【００１５】
好ましくは、前記優先順位設定モジュールは、
カテゴリー別に前記バナー広告の優先順位を設定することができる。
【００１６】
好ましくは、前記バナー広告の基準領域は、
多角形または円形であり得る。
【００１７】
好ましくは、前記データベースモジュールは、
一つのバナー広告に対して複数の基準領域の入力を受けて格納することができる。
【００１８】
さらに好ましくは、前記基準領域は、
少なくとも一部が互いにオーバーラップしうる。
【００１９】
好ましくは、前記サービス提供サーバは、
予め決められた時間を周期として前記ローカルデバイスの位置情報を受信することができる。
【発明の効果】
【００２０】
本発明で提案している、基準領域によってバナー広告別の優先順位が決定されるバナー広告サービスシステムによれば、バナー広告の基準領域を設定することにより、広告主の物理的な位置に関係なく、広告を行おうとする領域にてローカルデバイスにバナー広告が表示されうる。
【００２１】
また、本発明で提案している、基準領域によってバナー広告別の優先順位が決定されるバナー広告サービスシステムによれば、ローカルデバイスの位置情報に基づいてローカルデバイスに表示されるバナー広告が変わりうるのであり、基準領域の広さと距離を基準にバナー広告に対する優先順位が設定されることにより、広告主が所望する位置にて優先的にバナー広告が露出されうる。
【図面の簡単な説明】
【００２２】
【図１】モバイルデバイス上に表示されるバナー広告を示す図である。
【図２】本発明の一実施形態に係る、基準領域によってバナー広告別の優先順位が決定されるバナー広告サービスシステムの構成を示す図である。
【図３】本発明の一実施形態に係る、基準領域によってバナー広告別の優先順位が決定されるバナー広告サービスシステムにおけるサービス提供サーバ１００の構成を示す図である。
【図４】本発明の一実施形態に係る、基準領域によってバナー広告別の優先順位が決定されるバナー広告サービスシステムにおける基準領域を例示する図である。
【図５】本発明の一実施形態に係る、基準領域によってバナー広告別の優先順位が決定されるバナー広告サービスシステムの優先順位設定モジュール１２０にて優先順位を設定する様子を示す図である。
【図６】本発明の一実施形態に係る、基準領域によってバナー広告別の優先順位が決定されるバナー広告サービスシステムの優先順位設定モジュール１２０にて基準領域Ｂ、Ｃ及びＤに対する優先順位を設定する様子を示す図である。
【図７】本発明の一実施形態に係る、基準領域によってバナー広告別の優先順位が決定されるバナー広告サービスシステムの優先順位設定モジュール１２０にて基準領域Ａ、ＥおよびＦに対する優先順位を設定する様子を示す図である。
【図８】本発明の一実施形態に係る、基準領域によってバナー広告別の優先順位が決定されるバナー広告サービスシステムにてローカルデバイス２００のディスプレイ部に出力されるバナー広告を例示する図である。
【発明を実施するための形態】
【００２３】
以下、添付図面を参照して、本発明の属する技術分野における通常の知識を有する者が本発明を容易に実施し得るように好適な実施形態を詳細に説明する。ただし、本発明の好適な実施形態を詳細に説明するにあたり、関連した公知の機能または構成についての具体的な説明が本発明の要旨を不明確にするおそれがあると判断された場合には、その詳細な説明を省略する。また、同様の機能及び作用をする部分については、図面全体にわたって同一または類似の符号を使用する。
【００２４】
また、明細書全体において、ある部分が他の部分に「連結」されているとするとき、これは「直接的に連結」されている場合だけでなく、それらの間に別の素子を挟んで「間接的に連結」されている場合も含む。また、ある構成要素を「含む」というのは、特にする記載がない限り、他の構成要素を除外するのではなく、他の構成要素をさらに含むことができるということを意味する。
【００２５】
図２は、本発明の一実施形態に係る、基準領域によってバナー広告別の優先順位が決定されるバナー広告サービスシステムの構成を示す図である。図２に示すように、本発明の一実施形態に係る、基準領域によってバナー広告別の優先順位が決定されるバナー広告サービスシステムは、ローカルデバイス２００にバナー広告を提供するバナー広告サービスシステムにおいて、サービス提供サーバ１００を含むことができ、ローカルデバイス２００をさらに含むことができる。
【００２６】
サービス提供サーバ１００は、ローカルデバイス２００からバナー広告要求を受信して、ローカルデバイス２００にバナー広告を提供することができる。ここで、サービス提供サーバ１００がローカルデバイス２００にバナー広告を提供するというのは、ローカルデバイス２００のディスプレイに表示されるバナー広告に対するデータを、ネットワークを介してローカルデバイス２００へ送信することを意味する。
【００２７】
ローカルデバイス２００は、ネットワークを介してサービス提供サーバ１００とデータを送受信することができるデバイスであり得る。ここで、ローカルデバイス２００は、図２に示すように、ローカルボックス（Ｌｏｃａｌ  Ｂｏｘ）またはモバイルデバイスを含むことができる。
【００２８】
ローカルボックスは、ディスプレイ部を含むデバイスであり得る。また、ローカルボックスは、ネットワークを介してサービス提供サーバ１００とデータを送受信することができるデバイスであり得る。よって、ローカルボックスは、サービス提供サーバ１００からバナー広告に対するデータを受信してバナー広告をディスプレイ部に出力することができる。一方、ネットワークを介してサービス提供サーバ１００とデータを送受信し、ディスプレイ部を介してバナー広告を出力することができるデバイスであれば、その具体的な種類に関係なく、ローカルボックスに含まれ得る。
【００２９】
モバイルデバイス２００は、スマートフォン（Ｓｍａｒｔｐｈｏｎｅ）、タブレットＰＣ（Ｔａｂｌｅｔ  ＰＣ）及びウェアラブル（Ｗｅａｒａｂｌｅ）デバイスなどのデバイスを含むことができる。しかし、モバイルデバイス２００は、前述したデバイスの種類に限定されず、ネットワークを介してサービス提供サーバ１００とデータを送受信し、ディスプレイ部を介してバナー広告を出力することができるデバイスであれば、その具体的な種類に関係なくモバイルデバイス２００に含まれ得る。
【００３０】
一方、本発明において、ネットワークは、ローカルエリアネットワーク（Ｌｏｃａｌ  Ａｒｅａ  Ｎｅｔｗｏｒｋ；ＬＡＮ）、ワイドエリアネットワーク（Ｗｉｄｅ  Ａｒｅａ  Ｎｅｔｗｏｒｋ；ＷＡＮ）、または付加価値通信網（Ｖａｌｕｅ  Ａｄｄｅｄ  Ｎｅｔｗｏｒｋ；ＶＡＮ）などの有線ネットワーク、または移動通信網（Ｍｏｂｉｌｅ  Ｒａｄｉｏ  Ｃｏｍｍｕｎｉｃａｔｉｏｎ  Ｎｅｔｗｏｒｋ）、衛星通信網、ＷＩＢＲＯ（Ｗｉｒｅｌｅｓｓ  Ｂｒｏａｄｂａｎｄ  Ｉｎｔｅｒｎｅｔ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などの全種類の無線ネットワークを含むことができる。
【００３１】
図３は本発明の一実施形態に係る基準領域によってバナー広告別の優先順位が決定されるバナー広告サービスシステムにおけるサービス提供サーバ１００の構成を示す図である。図３に示すように、本発明の一実施形態に係る基準領域によってバナー広告別の優先順位が決定されるバナー広告サービスシステムにおけるサービス提供サーバ１００は、データベースモジュール１１０、優先順位設定モジュール１２０、および広告提供モジュール１３０を含むことができる。以下では、サービス提供サーバ１００のそれぞれの構成について詳細に説明する。
【００３２】
データベースモジュール１１０は、バナー広告として表示されるコンテンツ及びバナー広告の基準領域について、入力を受けて格納することができる。ここで、コンテンツは、文字、イメージ、音及び動画像などを含むデータであり得る。一方、基準領域は、後述する優先順位設定モジュール１２０にて、バナー広告の優先順位を設定するのに利用されうる。バナー広告は、基準領域にて最も高い優先順位を持つので、基準領域は、バナー広告がユーザーに最も多く露出されうる領域に該当する。このような基準領域は、広告主デバイス（図示せず）を介して設定されうるのであり、広告主の物理的な位置とは独立であり得る。すなわち、広告主が「Ａ」領域にあるとしても、バナー広告の基準領域を「Ｂ」領域に設定することができる。
【００３３】
一方、実施形態によっては、基準領域の広さは広告費に応じて決定されうる。または、基準領域の広さは、広告費とは独立に、コンテンツの人気度や推薦度などを用いてサービス提供サーバ１００によってそれ自身で決定されることも可能である。たとえば、Ａバナー広告コンテンツの人気度がＢバナー広告のコンテンツよりも高い場合には、Ａバナー広告の基準領域の広さが、Ｂバナー広告の基準領域に比べて、より広くなるように決定されうる。しかし、基準領域の広さは、前述した実施形態のみによって決定されるのではなく、さまざまな方法で決定されうる。
【００３４】
また、データベースモジュール１１０は、一つのバナー広告に対して複数の基準領域の入力を受けて格納することができる。バナー広告の基準領域は、広告主の物理的な位置に従属せずに、複数の領域に独立して設定できるので、複数の基準領域を介してバナー広告が、より効果的にユーザーに露出されるようにすることができる。
【００３５】
優先順位設定モジュール１２０は、ローカルデバイス２００の位置情報によって特定される位置を基準に、データベースモジュール１１０に格納された、バナー広告の基準領域の広さ及び距離に応じて優先順位を設定することができる。より具体的には、優先順位設定モジュール１２０は、データベースモジュール１１０に格納されたバナー広告の基準領域がローカルデバイス２００の位置情報によって特定される位置を含むか否かによって、バナー広告の優先順位を設定することができる。優先順位設定モジュール１２０でバナー広告の優先順位を設定する具体的な構成は、後述して説明する。
【００３６】
広告提供モジュール１３０は、優先順位設定モジュール１２０で設定された優先順位に基づいて、データベースモジュール１１０に格納されたバナー広告を整列してローカルデバイス２００に提供することができる。つまり、広告提供モジュール１３０は、優先順位が設定されたバナー広告に対するデータを、ネットワークを介してローカルデバイス２００に送信することができる。ローカルデバイス２００は、広告提供モジュール１３０から受信した、優先順位が設定されたバナー広告に対するデータをディスプレイに出力することにより、ユーザーに、バナー広告が優先順位に基づいて表示されうる。
【００３７】
一方、広告提供モジュール１３０は、バナー広告をカテゴリー別に分類して提供することができる。広告提供モジュール１３０は、カテゴリーに応じて、ローカルデバイス２００に提供されるバナー広告をフィルタリングすることにより、ユーザーが選択したカテゴリーに含まれるバナー広告だけを提供することができる。このようなカテゴリーは、データベースモジュール１１０にて、バナー広告に含まれるタグの形式で格納されうる。例えば、カテゴリーは、グルメ、銀行、宿泊、及びカフェなどの、業者の業種に応じて多様に設定されうる。
【００３８】
図４は本発明の一実施形態に係る基準領域によってバナー広告別の優先順位が決定されるバナー広告サービスシステムにおける基準領域を例示する図である。以下では、バナー広告Ａ、Ｂ、Ｃ、Ｄ、ＥおよびＦの基準領域Ａ、Ｂ、Ｃ、Ｄ、ＥおよびＦが、図４に示された例示のように設定され、ローカルデバイス２００の位置情報によって特定される位置がＸである場合、優先順位設定モジュール１２０にてバナー広告の優先順位を設定する構成を説明する。
【００３９】
図５は、本発明の一実施形態に係る基準領域によってバナー広告別の優先順位が決定されるバナー広告サービスシステムの優先順位設定モジュール１２０で優先順位を設定する様子を示す図である。図５に示すように、優先順位設定モジュール１２０は、データベースモジュール１１０に格納されたバナー広告の基準領域がローカルデバイス２００の位置情報によって特定される位置を含むか否かに応じて、バナー広告の優先順位を設定することができる。より具体的には、優先順位設定モジュール１２０は、データベースモジュール１１０に格納されたバナー広告の基準領域が、ローカルデバイス２００の位置情報によって特定される位置を含む場合、バナー広告の優先順位を高く設定することができる。
【００４０】
図４を参照すると、ローカルデバイス２００の位置情報によって特定される位置Ｘは、基準領域Ｂ、Ｃ及びＤには含まれるが、基準領域Ａ、ＥおよびＦには含まれない。図５に示すように、優先順位設定モジュール１２０は、ローカルデバイス２００の位置情報によって特定される位置Ｘを含む、基準領域Ｂ、Ｃ及びＤに対する優先順位を、基準領域Ａ、ＥおよびＦよりも高く設定することができる。したがって、優先順位設定モジュール１２０は、基準領域Ｂ、Ｃ及びＤを持つバナー広告Ｂ、Ｃ及びＤの優先順位を、基準領域Ａ、ＥおよびＦを持つバナー広告Ａ、ＥおよびＦよりも高く設定することができる。
【００４１】
図６は、本発明の一実施形態に係る、基準領域によってバナー広告別の優先順位が決定されるバナー広告サービスシステムにおける優先順位設定モジュール１２０にて、基準領域Ｂ、Ｃ及びＤに対する優先順位を設定する様子を示す図である。優先順位設定モジュール１２０は、データベースモジュール１１０に格納されたバナー広告の基準領域が、ローカルデバイス２００の位置情報によって特定される位置を含む場合、バナー広告の基準領域が広い順に、バナー広告の優先順位を設定することができる。図６の（ａ）に示すように、基準領域Ｂ、ＣおよびＤは、ローカルデバイス２００の位置情報によって特定される位置Ｘを含む。しかし、このような基準領域の中では、基準領域Ｃの幅が最も広く、その次に基準領域Ｄ、最後に基準領域Ｂの順に基準領域が広い。したがって、優先順位設定モジュール１２０は、ローカルデバイス２００の位置情報によって特定される、位置Ｘを含む基準領域Ｂ、Ｃ及びＤを持つバナー広告に対して、バナー広告Ｃ、ＤおよびＢの順に、バナー広告の優先順位を設定することができる。広告提供モジュール１３０は、優先順位設定モジュール１２０にて設定された優先順位に基づいて、バナー広告を整列するのであり、これにしたがい、ローカルデバイス２００上に表示されるバナー広告の順序は、図６の（ｂ）に示す通りである。
【００４２】
しかし、実施形態によっては、優先順位設定モジュール１２０は、データベースモジュール１１０に格納されたバナー広告の基準領域が、ローカルデバイス２００の位置情報によって特定される位置を含む場合、バナー広告の基準領域が狭い順にバナー広告の優先順位を設定することもできる。基準領域の広さが広い順にのみバナー広告の優先順位を設定する場合、資本力が足りない零細業者などのバナー広告は、相対的に優先順位が後回しにされるしかない。よって、バナー広告の基準領域が狭い順にバナー広告の優先順位を設定することにより、零細業者などを優先的に保護することもできる。
【００４３】
図７は、本発明の一実施形態に係る、基準領域によってバナー広告別の優先順位が決定されるバナー広告サービスシステムにおける優先順位設定モジュール１２０にて、基準領域Ａ、ＥおよびＦに対する優先順位を設定する様子を示す図である。優先順位設定モジュール１２０は、データベースモジュール１１０に格納されたバナー広告の基準領域が、ローカルデバイス２００の位置情報によって特定される位置を含まない場合、ローカルデバイス２００の位置情報によって特定される位置と、バナー広告の基準領域の境界線との間の最短距離が短い順に、バナー広告の優先順位を設定することができる。図７の（ａ）に示すように、基準領域Ａ、ＥおよびＦは、ローカルデバイス２００の位置情報によって特定される位置Ｘを含まない。ここで、このような基準領域の中では、ローカルデバイス２００の位置情報によって特定される位置Ｘを基準に、基準領域Ｆの境界線との最短距離が最も短く、その次に基準領域Ａ、最後に基準領域Ｅの順に、境界線との最短距離が短い。したがって、優先順位設定モジュール１２０は、ローカルデバイス２００の位置情報によって特定される位置Ｘを含まない、基準領域Ａ、ＥおよびＦを持つバナー広告に対して、バナー広告Ｆ、Ａ及びＥの順に、バナー広告の優先順位を設定することができる。広告提供モジュール１３０は、優先順位設定モジュール１２０にて設定された優先順位に基づいてバナー広告を整列するのであり、これにしたがい、ローカルデバイス２００上に表示されるバナー広告の順序は、図７の（ｂ）に示す通りである。
【００４４】
図８は、本発明の一実施形態に係る、基準領域によってバナー広告別の優先順位が決定されるバナー広告サービスシステムにおけるローカルデバイス２００のディスプレイ部に出力されるバナー広告を例示する図である。前述したように、優先順位設定モジュール１２０は、基準領域の広さ及び距離に応じてバナー広告の優先順位を設定することができる。図４乃至図７の例示を参照すると、優先順位設定モジュール１２０は、ローカルデバイス２００の位置情報によって特定される位置Ｘを含む基準領域Ｂ、Ｃ及びＤを持つバナー広告に対して、バナー広告Ｃ、ＤおよびＢの順にバナー広告の優先順位を設定することができる。また、優先順位設定モジュール１２０は、ローカルデバイス２００の位置情報によって特定される位置Ｘを含まない基準領域Ａ、ＥおよびＦを持つバナー広告に対して、バナー広告Ｆ、Ａ及びＥの順にバナー広告の優先順位を設定することができる。この際、優先順位設定モジュール１２０は、ローカルデバイス２００の位置情報によって特定される位置Ｘを含む基準領域を持つバナー広告に対する優先順位を、高く設定することができる。したがって、優先順位設定モジュール１２０は、バナー広告をバナー広告Ｃ、Ｄ、Ｂ、Ｆ、Ａ及びＥの順に優先順位を設定することができる。それによりローカルデバイス２００上に表示されるバナー広告の順序は、図８に示す通りである。
【００４５】
一方、優先順位設定モジュール１２０は、最短距離が同じである場合には、バナー広告の基準領域が広い順にバナー広告の優先順位を設定することができる。もし、図７において、ローカルデバイス２００の位置情報によって特定される位置Ｘを基準に、基準領域Ａ及び基準領域Ｅの境界線との最短距離が同じである場合には、優先順位設定モジュール１２０は、基準領域Ｅを持つバナー広告Ｅに対して、基準領域Ａを持つバナー広告Ａよりも高い優先順位を設定することができる。基準領域Ｅが基準領域Ａよりも基準領域の広さが広いためである。
【００４６】
また、優先順位設定モジュール１２０は、カテゴリー別にバナー広告の優先順位を設定することができる。前述したように、カテゴリーは、データベースモジュール１１０に、バナー広告に含まれるタグの形式で格納できるので、優先順位設定モジュール１２０は、同じカテゴリーを持つバナー広告同士の間の優先順位を設定することができる。カテゴリー別にバナー広告の優先順位を設定する場合、優先順位設定モジュール１２０にて、すべてのバナー広告の基準領域を比較せず、当該カテゴリーに含まれるバナー広告の基準領域のみを比較すればよいので、サービス提供サーバ１００の演算量が減少し、より迅速にバナー広告の優先順位を設定することができる。
【００４７】
バナー広告の基準領域は多角形または円形であり得る。つまり、バナー広告の基準領域は様々な形状を持つことができる。図４を参照すると、基準領域Ａ、Ｂ、Ｃ、Ｄ、ＥおよびＦは、互いに異なる形状の領域を持つ。本発明の一実施形態に係る、基準領域によってバナー広告別の優先順位が決定されるバナー広告サービスシステムでは、基準領域が、ローカルデバイス２００の位置情報によって特定される位置Ｘを含むか否かに応じて、バナー広告の優先順位が変わり得るので、基準領域の形状によってもバナー広告の優先順位が変わり得る。つまり、特定の位置を含む形で基準領域を設定する場合には、基準領域の広さが広くなくても、当該特定の位置でバナー広告の優先順位が高く設定されうる。基準領域を多角形または円形に設定して、広告主は、特定の位置で基準領域がローカルデバイス２００の位置情報によって特定される位置Ｘを含むことができるように設定することができる。したがって、単純に位置を考慮せずに基準領域の広さを広く設定することよりも、基準領域の形状を多角形または円形に設定することにより、広告主は、広告を行おうとする特定の位置にて、ユーザーへ、より効率よくバナー広告を露出させることができる。
【００４８】
ここで、基準領域は、少なくとも一部が互いにオーバーラップしうる。バナー広告の基準領域は、広告主が広告主デバイスを介して設定するものなので、多数の広告主によって基準領域が設定される場合、基準領域は、少なくとも一部が互いにオーバーラップしうる。または、一つのバナー広告が複数の基準領域を持つ場合にも、当該基準領域の少なくとも一部が互いにオーバーラップしうる。しかし、本発明の一実施形態に係る基準領域によってバナー広告ごとの優先順位が決定されるバナー広告サービスシステムは、優先順位設定モジュール１２０で基準領域の広さ及び距離に応じてバナー広告の優先順位を設定することができるので、基準領域が互いにオーバーラップするとしても、バナー広告に対する優先順位を設定することができる。したがって、多数のバナー広告の基準領域が互いに複雑に設定されているとしても、バナー広告を優先順位に基づいて整列することができる。
【００４９】
一方、サービス提供サーバ１００は、予め決められた時間を周期としてローカルデバイス２００の位置情報を受信することができる。ローカルデバイス２００がモバイルデバイスである場合、当該モバイルデバイスを所持したユーザーが移動してローカルデバイス２００の位置情報によって特定される位置Ｘが変わる場合、変わった位置を基準にバナー広告に対する優先順位が設定されなければならない。したがって、サービス提供サーバ１００は、予め決められた時間を周期としてローカルデバイス２００の位置情報を受信し、優先順位設定モジュール１２０は、当該位置情報に基づいてバナー広告の優先順位を再設定することができる。ここで、予め決められた時間は、ユーザーの要求に応じて多様に設定されうる。
【００５０】
前述したように、本発明で提案している、基準領域によってバナー広告ごとの優先順位が決定されるバナー広告サービスシステムによれば、バナー広告の基準領域を設定することにより、広告主の物理的な位置に関係なく、広告を行おうとする領域にてローカルデバイスにバナー広告が表示されうる。また、本発明で提案している、基準領域によってバナー広告別の優先順位が決定されるバナー広告サービスシステムによれば、ローカルデバイスの位置情報に基づいて、ローカルデバイスに表示されるバナー広告が変わりうるのであり、基準領域の広さと距離を基準にバナー広告に対する優先順位が設定されることにより、広告主が所望する位置にて優先的にバナー広告が露出されうる。
【００５１】
以上説明した本発明は、本発明の属する技術分野における通常の知識を有する者によって様々な変形や応用が可能であり、本発明に係る技術的思想の範囲は、以下の特許請求の範囲によって定められるべきである。
【符号の説明】
【００５２】
Ｘ    ローカルデバイスの位置情報によって特定される位置
１００    サービス提供サーバ
１１０    データベースモジュール
１２０    優先順位設定モジュール
１３０    広告提供モジュール
２００    ローカルデバイス
【図１】
2021506018.tif 000003
【図２】
2021506018.tif 000004
【図３】
2021506018.tif 000005
【図４】
2021506018.tif 000006
【図５】
2021506018.tif 000007
【図６】
2021506018.tif 000008
【図７】
2021506018.tif 000009
【図８】
2021506018.tif 000010
【国際調査報告】
2021506018.tif 000011
2021506018.tif 000012
2021506018.tif 000013
2021506018.tif 000014